(57)【要約】【課題】グリル使用時にも移動させる必要がなく、且つその上方スペースも有効に使用できる２段棚式排気口カバーを提供する。【解決手段】２段棚式排気口カバー１３は、所定間隔で配置されて立設する１対の側板１９ａ，側板１９ｂと、側板１９ａ，側板１９ｂの上方部の各々に架け渡すようにして固定された長方形平板形状の上段棚１５と、側板１９ａ，側板１９ｂの中間位置の各々の間に配置された長方形平板形状の下段棚１７とから構成されている。下段棚１７は長辺側の奥側の一方が側板１９ａ，側板１９ｂに取付けられた軸２１によって支持され、水平位置からほぼ垂直位置まで回動自在となるように構成されている。使用に際しては、ガスレンジの奥側のグリル排気口を下段棚１７が跨ぐようにして側板１９ａ，側板１９ｂをキッチンテーブル上に設置する。グリル排気口が使用される場合には、下段棚１７を跳ね上げることによってその排気を阻害する虞はない。【選択図】　　　図１
2004028496.tif 000002
【特許請求の範囲】
【請求項１】
ガスレンジのグリル排気口に架け渡すように設置して使用する２段棚式排気口カバーであって、
所定間隔に配置されて互いに対向するように立設する１対の側板と、
前記側板の上方部の各々に架け渡すようにして固定された長方形平板形状の上段棚と、
前記側板の中間位置の各々の間に配置された長方形平板形状を有し、長辺側の一方を軸中心として水平位置からほぼ垂直位置まで回動自在となる下段棚とを備えた、２段棚式排気口カバー
【請求項２】
前記下段棚は長方形シート形状を有する平坦部を中心として構成され、
前記側板の各々の前方部は互いに向かうように内方に折曲げられ、前記下段棚の前記平坦部の長辺側の他方の裏面を当接状態で支持する１対の前方折曲げ部を構成し、
前記前方折曲げ部の上端は、前記側板側で水平に伸びる水平端部と、前記水平端部より高い位置で内方側に水平に伸びる突出端部とからなり、
前記下段棚の前記平坦部の短辺側の各々の端部は、裏面側に折り返されて折返し部が形成され、
前記折返し部の各々は、前記前方折曲げ部の各々の前記水平端部に係合する、請求項１記載の２段棚式排気口カバー。
【請求項３】
前記上段棚は、長方形シート形状の平坦部を中心として構成され、前記平坦部の長辺側の一方は、上方に立ち上った後、下方に巻き込む縁巻部が形成される、請求項１又は請求項２記載の２段棚式排気口カバー。
【請求項４】
前記上段棚の前記平坦部の長辺側の他方は、上方に立ち上がった後下方に曲がる巻部と、前記巻部の下端に接続され、下方に伸びる垂下部とが形成される、請求項３記載の２段棚式排気口カバー。
【請求項５】
前記上段棚の前記平端部の短辺側の各々には、下方に折曲げられた側方折曲げ部が形成され、
前記側板の各々の上端は、前記上段棚の前記平坦部の短辺側の端部を当接状態で支持する水平端部と、前記水平端部の両端から立ち上がる前方突出端部及び後方突出端部とからなる、請求項４記載の２段棚式排気口カバー。
【請求項６】
前記前方突出端部は、前記水平端部の一部の上方に更に伸びるとともに、前記水平端部の前記一部は他の部分の高さより一段下がる切欠き段部を構成し、
前記後方突出端部は、前記上段棚の前記巻部の端部の内面に当接する形状を有する、請求項５記載の２段棚式排気口カバー。
【発明の詳細な説明】
【０００１】
【発明の属する技術分野】
この発明は２段棚式排気口カバーに関し、特にシステムキッチンレンジが組込まれたキッチンテーブル上に載置して使用される２段棚式排気口カバーに関するものである。
【０００２】
【従来の技術】
図９は従来の排気口カバーの使用状態を示した斜視図である。
【０００３】
図を参照して、キッチンテーブル５７にはガスレンジ５６が組込まれ、その前面には魚等を焼くためのグリル５８が取付けられている。グリル５８の使用時の排気は、ガスレンジ５６の奥側に設置されているグリル排気口５９を介して排出される。
【０００４】
排気口カバー６５は、調味料６１等を載置することができる長方形平板状の棚板６７と、棚板６７の両端部に接続され、棚板６７を所定の高さに持ち上げる脚体６９ａ，脚体６９ｂが取付けられている。
【０００５】
使用に際しては、排気口カバー６５をグリル排気口５９を跨ぐように脚体６９ａ，脚体６９ｂをキッチンテーブル５７上に設置する。これによってガスレンジ５６を使用している際に排気口カバー６５は邪魔にならず、その上に調味料６１等を載置できるため使い勝手が良い。
【０００６】
【発明が解決しようとする課題】
上記のような従来の排気口カバーでは、グリルを使用していないときは良いが、グリル使用時には、グリル排気口から排気が出るため排気口カバーを移動させる必要がある。又、排気口カバーの上方スペースは有効に使われているとは言えなかった。
【０００７】
この発明は上記のような課題を解決するためになされたもので、グリル使用時にも移動させる必要がなく、且つその上方スペースも有効に使用できる２段棚式排気口カバーを提供することを目的とする。
【０００８】
【課題を解決するための手段】
上記の目的を達成するために、請求項１記載の発明は、ガスレンジのグリル排気口に架け渡すように設置して使用する２段棚式排気口カバーであって、所定間隔に配置されて互いに対向するように立設する１対の側板と、側板の上方部の各々に架け渡すようにして固定された長方形平板形状の上段棚と、側板の中間位置の各々の間に配置された長方形平板形状を有し、長辺側の一方を軸中心として水平位置からほぼ垂直位置まで回動自在となる下段棚とを備えたものである。
【０００９】
このように構成すると、下段棚の位置を自在に選択できる。
【００１０】
請求項２記載の発明は、請求項１記載の発明の構成において、下段棚は長方形シート形状を有する平坦部を中心として構成され、側板の各々の前方部は互いに向かうように内方に折曲げられ、下段棚の平坦部の長辺側の他方の裏面を当接状態で支持する１対の前方折曲げ部を構成し、前方折曲げ部の上端は、側板側で水平に伸びる水平端部と、水平端部より高い位置で内方側に水平に伸びる突出端部とからなり、下段棚の平坦部の短辺側の各々の端部は、裏面側に折り返されて折返し部が形成され、折返し部の各々は、前方折曲げ部の各々の水平端部に係合するものである。
【００１１】
このように構成すると、側板の各々が開く方向に移動しようとすると、下段棚の折返し部に側板の前方折曲げ部の突出端部が当接する。
【００１２】
請求項３記載の発明は、請求項１又は請求項２記載の発明の構成において、上段棚は、長方形シート形状の平坦部を中心として構成され、平坦部の長辺側の一方は、上方に立ち上がった後、下方に巻き込む縁巻部が形成されるものである。
【００１３】
このように構成すると、上段側の平端部上でこぼれた調味料等の液体の縁巻部側への落下が堰き止められるとともに、縁巻部内に侵入しない。
【００１４】
請求項４記載の発明は、請求項３記載の発明の構成において、上段棚の平坦部の長辺側の他方は、上方に立ち上がった後下方に曲がる巻部と、巻部の下端に接続され、下方に伸びる垂下部とが形成されるものである。
【００１５】
このように構成すると、上段側の平坦部上にこぼれた調味料の液体の巻部側への落下が堰き止められるとともに、上段棚の長手方向の撓みに対する剛性が向上する。
【００１６】
請求項５記載の発明は、請求項４記載の発明の構成において、上段棚の平坦部の短辺側の各々には、下方に折曲げられた側方折曲げ部が形成され、側板の各々の上端は、上段棚の平坦部の短辺側の端部を当接状態で支持する水平端部と、水平端部の両端から立ち上がる前方突出端部及び後方突出端部とからなるものである。
【００１７】
このように構成すると、側板の前方突出端部と後方突出端部との間に上段棚の平坦部の短辺側が挟まれた状態でこれらに係合する。
【００１８】
請求項６記載の発明は、請求項５記載の発明の構成において、前方突出端部は、水平端部の一部の上方に更に伸びるとともに、水平端部の一部は他の部分の高さより一段下がる切欠き段部を構成し、後方突出端部は、上段棚の巻部の端部の内面に当接する形状を有するものである。
【００１９】
このように構成すると、切欠き段部に係合した上段棚の平坦部の短辺側の一部が上方方向に移動しようとすると、上方に位置する前方突出端部の一部に当接する。
【００２０】
【発明の効果】
以上説明したように、請求項１記載の発明は、下段棚の位置が自在に変化するため、使用状態に応じて下段棚の位置を選択すれば良い。すなわち、排気口を使う場合には、下段棚を垂直位置にしておけばわざわざ排気口カバーを移動させる必要はない。又、排気口を使っていない場合には、下段棚を水平位置にしておけば、その上にも調味料等を載置することができるため使い勝手が良い。
【００２１】
請求項２記載の発明は、請求項１記載の発明の効果に加えて、側板の各々を開く方向に移動しようとすると、下段棚の折返し部に側板の前方折曲げ部の突出端部が当接するため、それ以上の側板の移動は阻止され設置状態が安定する。
【００２２】
請求項３記載の発明は、請求項１又は請求項２記載の発明の効果に加えて、上段棚の平坦部上にこぼれた調味料等の液体は周辺に落下せず、又縁巻部内に進入しないため、使い勝手が良く清掃も容易となる。
【００２３】
請求項４記載の発明は、請求項３記載の発明の効果に加えて、上段棚の平坦部上にこぼれた調味料等の液体は巻部側の周辺に落下や浸入しないため使い勝手が良い。又、上段棚の強度が向上するため調味料等の載置時の信頼性が向上する。
【００２４】
請求項５記載の発明は、請求項４記載の発明の効果に加えて、側板の前方突出端部と後方突出端部との間に上段棚の平坦部の短辺側が挟まれた状態でこれらが係合するため、上段棚と側板との係合状態が安定する。
【００２５】
請求項６記載の発明は、請求項５記載の発明の効果に加えて、不用意に上段棚が側板から外れる虞がなく使用状態の信頼性が向上する。
【００２６】
【発明の実施の形態】
図１はこの発明の第１の実施の形態による２段棚式排気口カバーの概略構造を示した斜視図である。
【００２７】
図を参照して、２段棚式排気口カバー１３は鉄板をプレス加工することによって形成され、具体的には、所定間隔で配置されて互いに対向するように立設する１対の側板１９ａ，側板１９ｂと、側板１９ａ，側板１９ｂの上方部の各々に架け渡すようにして固定された長方形平板形状の上段棚１５と、側板１９ａ，側板１９ｂの中間位置の各々の間に配置された長方形平板形状を有した下段棚１７とから構成されている。側板１９ａ，側板１９ｂの各々は、その前方辺に切欠き２０ａ，切欠き２０ｂが形成され、又、各々の下方側の辺には切欠き２２が形成され、脚部２３ａ，脚部２３ｂが形成されている。尚、脚部２３ａ，脚部２３ｂには、２段棚式排気口カバー１３を載置した場合に載置面を傷付けないように、例えば合成樹脂よりなる保護シート２５ａ，保護シート２５ｂが取付けられている。
【００２８】
下段棚１７は、長辺の奥側が側板１９ａ，側板１９ｂの各々に固定された軸２１によって支持され、これを軸中心として図に示す水平位置から後述するようにほぼ垂直位置まで回動自在となるように構成されている。又、下段棚１７の長辺の前面側の下面は、側板１９ａ，側板１９ｂの前方部が互いに向かうように内方に折曲げられた１対の前方折曲げ部２６ａ，前方折曲げ部２６ｂによって支持されている。
【００２９】
図２は図１で示した“Ｘ”部分の拡大図であって、上段棚を側板から外した状態を示した拡大斜視図である。
【００３０】
図を参照して、上段棚１５は長方形シート形状の平坦部３９を中心として構成されている。平坦部３９の長辺側の一方（前方）は、上方に立ち上がった後、下方に巻き込む前方縁巻部４１が形成されている。一方、平坦部３９の長辺側の他方（奥側）は、上方に立ち上がった後下方に曲がる後方巻部４２と、後方巻部４２の下端に接続され、下方に伸びる長方形シート形状の垂下部４３とが形成されている。平坦部３９の長辺側は上記のように構成されているため、使用時に平坦部３９の上に載置された調味料等の液体が滴下した場合であっても、これらの液体は長辺部分の各々で堰き止められ、又、前方縁巻部４１及び後方巻部４２内に浸入する虞はない。
【００３１】
平坦部３９の短辺側の辺の各々は、下方向に折曲げられて側方折曲げ部４０を構成している。側板１９ａの上端は、上段棚１５の平坦部３９の短辺側の端部を当接状態で支持する水平端部２９と、水平端部２９の両端から立ち上がる前方突出端部３１及び後方突出端部３０とから構成されている。又、前方突出端部３１は、水平端部２９の前方突出端部３１側の部分の上方に更に伸びるとともに、その下方の水平端部２９の部分は、水平端部２９の他の部分の高さより一段下がった切欠き段部３３を構成している。
【００３２】
一方、後方突出端部３０は上段棚１５の後方巻部４２の長手方向端部の内面に当接する形状を有している。又、側板１９ａの後方の辺は内方側に折曲げられて後方折曲げ部３４を構成している。尚、後方折曲げ部３４にはネジ３６が貫通する螺合穴３７が形成され、上段棚１５の垂下部４３にはこれに対応するネジ穴４４が形成されている。
【００３３】
図３は図２の状態から上段棚を側板に組合わせた状態を示した斜視図であって、図１の“Ｘ”部に対応した図である。
【００３４】
図を参照して、上段棚１５を側板１９ａに取付ける際には、まず上段棚１５の側方折曲げ部４０を側板１９ａの外方側に来るようにセットし、この状態から平坦部３９の短辺側の係合箇所４６を、側板１９ａの切欠き段部３３に差込むようにセットする。切欠き段部３３は上述のように水平端部２９の他の部分より一段下がった形状となっているため、平坦部３９をやや前方に傾斜させた状態で係合箇所４６を切欠き段部３３に差込むことが可能となる。
【００３５】
次にこの状態で、平坦部３９の短辺側の端部の裏面が側板１９ａの水平端部２９に当接するまで、上段棚１５を降下させる。平坦部３９の短辺側の長さは側板１９ａの水平端部２９に対応したものとなっているため、図に示すようにこれらは互いに当接状態となる。又、上述のように、側板１９ａの後方突出端部３０は上段棚１５の後方巻部４２の端部の内面形状に対応したものとなっているため、後方巻部４２は後方突出端部３０によって支持され、上段棚１５の垂下部４３は側板１９ａの後方折曲げ部３４の外面に沿うように重なる。そしてネジ３６を取付けることによって、上段棚１５の垂下部４３と側板１９ａの後方折曲げ部３４とは一体的に固定される。
【００３６】
このように上段棚１５と側板１９ａとが組み立てられるため、これらは強固に一体化される。すなわち、上段棚１５の前方部が持ち上げられる方向に力が加わると、平坦部３９の係合箇所４６が側板１９ａの前方突出端部３１に当接してその移動が阻止される。又、側板１９ａが外方に移動しようとすると、側板１９ａの上方部の外面側が上段棚１５の側方折曲げ部４０の内面側に当接するため、それ以上の移動が阻止される。更に、側板１９ａが内方側に移動しようとすると、側板１９ａの前方突出端部３１の内面側が上段棚１５の前方縁巻部４１の端部に当接して、その移動が阻止される。尚、図示していないが、側板１９ｂ側も同様に上段棚１５に対して係合するものである。
【００３７】
図４は図１で示した状態から下段棚を垂直位置に引き起こした状態を示した斜視図であり、図５は図４で示した“Ｙ”部分の拡大斜視図である。
【００３８】
これらの図を参照して、下段棚１７は長方形シート形状を有する平坦部４８を中心として構成されている。平坦部４８の長辺側の一方（前方）は垂直下方向に折曲げられて前方折曲げ部５０を構成し、長辺側の他の一方（奥側）は内方に巻き込まれて後方縁巻部４９を形成している。後方縁巻部４９は側板１９ａ，側板１９ｂに取付けられた軸２１によって回動自在に支持されている。
【００３９】
下段棚１７の平坦部４８の短辺側の各々の端部は裏面側に折り返されて、折返し部５４が形成されている。尚、折返し部５４は平坦部４８の短辺側のみならず前方折曲げ部５０の両端側にも連続して形成されている。下段棚１７を図５で示した２点鎖線の水平位置から実線に示す垂直位置の方向に回転させて持ち上げると、平坦部４８の短辺側の部分が側板１９ｂの後方折曲げ部３４ｂの内面側に当たって、その移動が停止する。これによって下段棚１７をほぼ垂直な位置で保持することが可能となる。
【００４０】
ところで、側板１９ｂの前方部が内方に折曲げられて形成された前方折曲げ部２６の上端は、側板１９ｂ側で水平に伸びる水平端部５２と、水平端部５２より高い位置で内方側に水平に伸びる突出端部５３とから構成されている。
【００４１】
図６は図５で示したＶＩ−ＶＩラインから見た図である。
【００４２】
図を参照して、二点鎖線は下段棚１７が水平位置にある場合の断面形状を示している。この状態にあっては、下段棚１７の折返し部５４は前方折曲げ部２６の水平端部５２の上方に位置するように係合し、突出端部５３は平坦部４８の裏面であって折返し部５４より内方側の面に当接する。
【００４３】
次に、この状態から側板１９ｂが外方に開こうとすると、前方折曲げ部２６は図において左方向に移動することになる。すると、水平端部５２と突出端部５３とからなる段部５５が折返し部５４の端部に当接して、それ以上の移動が阻止されることになる。これによって下段棚１７を水平位置にして使用している場合に不用意に側板１９ｂが外方に開くことは無いため、これらの係合状態が安定する。又、使用の際には下段棚１７の平坦部４８上には調味料等が載置されるため、平坦部４８と前方折曲げ部２６の突出端部５３との当接状態がより強くなる。そのため前方折曲げ部２６と下段棚１７との係合状態がより安定する。
【００４４】
図７はこの発明の第１の実施の形態による２段棚式排気口カバーの使用状態の一例を示した斜視図である。
【００４５】
図を参照して、２段棚式排気口カバー１３を使用する際には、キッチンテーブル５７に組込まれたガスレンジ５６のグリル排気口５９を下段棚１７が跨ぐようにして、その両側に側板１９ａ，側板１９ｂを設置する。そして２段棚式排気口カバー１３の上段棚１５には調味料６１等が載置されている。この状態にあっては、キッチンテーブル５７のグリル５８が使用されておらず、グリル排気口５９から排気されることはないため、下段棚１７は水平位置のままでその上に料理に必要な物を置いて使用することが可能となる。
【００４６】
図８は図７に対応した図であって、２段棚式排気口カバーの使用状態の他の例を示した斜視図である。
【００４７】
図を参照して、この使用状態は、キッチンテーブル５７に組込まれたグリル５８が使用される場合を想定している。そこで２段棚式排気口カバー１３の下段棚１７は、図７で示した水平位置から垂直位置に跳ね上げられている。これによってグリル５８の使用によってグリル排気口５９から排出される排気等は、下段棚１７によって阻止されることなくスムーズに上方に排出される。この時２段棚式排気口カバー１３の上段棚１５はキッチンテーブル５７の設置面から相当上方にあるため、グリル排気口５９からの排出を阻害する虞はなく、調味料６１等を載置したままの使用を継続することができる。このようにこの実施の形態による２段棚式排気口カバーであれば、グリルの使用の有無にかかわらず、常時その位置に設置しておくことができ、又、その上方スペースを上段棚によって有効に活用することが可能となる。
【００４８】
尚、上記の実施の形態では、２段の棚で構成されているが、３段以上の棚式でその中の２段が上述の構成を有するものでも同様の効果を奏する。すなわち、２段棚式排気口カバーとは、このような２段以上の棚式のものも含むものである。
【００４９】
又、上記の実施の形態では、下段棚の短辺側は裏面側に折り返されて折返し部を構成しているが、これに代えて、下段棚の短辺側の裏面に帯状のガイドを取り付けるように構成しても良い。
【００５０】
更に、上記の実施の形態では、側板の前方部が折り曲げられて前方折曲げ部を構成しているが、これに代えて、側板の前方内側に突出片等を取付けて下段棚を支持するようにしても良い。
【００５１】
更に、上記の実施の形態では、上段棚の平坦部の短辺側はそのまま下方に折り曲げられて側方折曲げ部を構成しているが、この折り曲げ部を一旦立ち上げた後下方に下がるように構成すれば、上段棚に滴下された液体の周辺への拡散を防止することがより確実となる。
【図面の簡単な説明】
【図１】この発明の第１の実施の形態による２段棚式排気口カバーの概略構造を示した斜視図である。
【図２】図１で示した“Ｘ”部分の図であって、上段棚と側板とを分離した状態を示した拡大斜視図である。
【図３】図２に対応した図であって、上段棚と側板とを組合わせた状態を示した斜視図である。
【図４】図１に対応した図であって、下段棚を跳ね上げた状態の２段棚式排気口カバーの概略構造を示した斜視図である。
【図５】図４で示した“Ｙ”部分の拡大斜視図である。
【図６】図５で示したＶＩ−ＶＩラインから見た図である。
【図７】この発明の第１の実施の形態による２段棚式排気口カバーの使用状態の一例を示した斜視図である。
【図８】この発明の第１の実施の形態による２段棚式排気口カバーの使用状態の他の例を示した斜視図である。
【図９】従来の排気口カバーの使用状態を示した概略斜視図である。
【符号の説明】
１３…２段棚式排気口カバー
１５…上段棚
１７…下段棚
１９…側板
２１…軸
２６…前方折曲げ部
２９…水平端部
３０…後方突出端部
３１…前方突出端部
３３…切欠き段部
３９…平坦部
４０…側方折曲げ部
４１…前方縁巻部
４２…後方巻部
４３…垂下部
４８…平坦部
５２…水平端部
５３…突出端部
５４…折返し部
５６…ガスレンジ
５９…グリル排気口
尚、各図中同一符号は同一又は相当部分を示す。
【図１】
2004028496.tif 000003
【図２】
2004028496.tif 000004
【図３】
2004028496.tif 000005
【図４】
2004028496.tif 000006
【図５】
2004028496.tif 000007
【図６】
2004028496.tif 000008
【図７】
2004028496.tif 000009
【図８】
2004028496.tif 000010
【図９】
2004028496.tif 000011